(57)【特許請求の範囲】
【請求項１】
容器本体に回動可能に設けたＵ字状のハンドルと該ハンドルに前記容器本体を吊り下げる吊り下げ紐を設けた釣り用水汲みバケツにおいて、前記ハンドルは、握り部に重りが設けられ、前記吊り下げ紐で吊り下げると起立し、前記吊り下げ紐が緩められると前記握り部に設けた前記重りの重量で回動して前記容器本体の外側に倒れることを特徴とする釣り用水汲みバケツ。
【発明の詳細な説明】
【０００１】
【発明の属する技術分野】
本発明は、水面で水汲み姿勢となる釣り用水汲みバケツの改良に関する。
【０００２】
【従来の技術】
従来から釣り用水汲みバケツは、合成樹脂製の容器本体に吊り下げ紐が取り付けられ、水汲みにあたって水面に投げ出した容器本体が容易に倒れる様に容器本体の開口や、吊り下げ紐に重りを取り付けていた。
例えば、実開昭６３−１５３９４５号公報の釣り用水汲みバケツは、容器本体開口に重りが嵌合されており、例えば、特開２０００−３５０５４１号公報の釣り用水汲みバケツは、吊り下げ紐に重りが設けられている。
前記前者の公報の構成は、重りが容器本体開口に設けられているため、比較的重い重りを用いないと吊り下げた状態で容器本体が着水して傾き難いので倒れ難い。
前記後者の公報の構成は、吊り下げ紐に重りが設けられており、吊り下げた状態で着水すると重りが容器内に入ってしまったり、重りを容器外にだそうとしても紐が柔軟性を有しているため、思うように操作できず、重りを容器外にだしても重りが容器本体の下方に垂れ下がることになるから倒れ難くい。
【０００３】
【発明が解決しようとする課題】
解決しようとする問題点は、何れも釣り用水汲みバケツに設けられた重りでは容器本体を倒すことが容易に出来ないことである。
【０００４】
本発明の目的は前記欠点に鑑み、容器本体を吊り下げた状態で着水すると、ハンドルの倒れる反動で容易に容器本体が倒れる釣り用水汲みバケツを提供することである。
【０００５】
【課題を解決するための手段】
上記課題を解決するために、請求項１に係わる本発明は、容器本体に回動可能に設けたＵ字状のハンドルと該ハンドルに前記容器本体を吊り下げる吊り下げ紐を設けた釣り用水汲みバケツにおいて、前記ハンドルは、握り部に重りが設けられ、前記吊り下げ紐で吊り下げると起立し、前記吊り下げ紐が緩められると前記握り部に設けた前記重りの重量で回動して前記容器本体の外側に倒れることを要旨とするものである。
【０００６】
【発明の実施の形態】
本発明により、ハンドル３が倒された時重り５が埋設された握り部３ａが容器本体１の開口１ａから離れた側部に位置することになるから、ハンドル３を倒伏させながら容器本体１を容易に倒すことが出来るため容易に水汲みが出来る。
【０００７】
【実施例】
以下、本発明の実施例を図面に基づき説明すると、図１から図９は第１実施例で、図１は吊り下げ紐で吊り下げられた釣り用水汲みバケツの斜視図、図２は釣り用水汲みバケツの側面図、図３はハンドル止着部の（ａ）正面図で（ｂ）側面図、図４は釣り用水汲みバケツ容器本体とハンドルの要部断面正面図と要部拡大断面正面図、図５はハンドルの要部断面正面図、図６はハンドルでバケツ容器本体が吊り下げられた要部断面側面図とハンドルとハンドル止着部の拡大要部断面側面図、図７はハンドルが横に倒されたハンドルとバケツ容器本体の要部断面側面図とハンドルとハンドル止着部の拡大要部断面側面図、図８はハンドルが側部に倒されたハンドルとバケツ容器本体の要部断面側面図とハンドルとハンドル止着部の拡大要部断面側面図、図９は水面上で傾けられた釣り用水汲みバケツの斜視図である。
【０００８】
釣り用水汲みバケツは容器本体１の上方の開口１ａの対向する両位置の周面１ｂにハンドル止着部２、２が固定されてハンドル止着部２、２の透孔にハンドル３の両回動部が回動可能に嵌合されると共に、開口１ａ上方をア−チ状に跨ぐように架設されている。
すなわち、ハンドル３は容器本体１の外側に倒れるように容器本体１に対し回動可能に設けられている。
容器本体１は、例えばエチレン酢酸ビニ−ルや塩化ビニ−ル等の合成樹脂製シ−トで形成され防水性と柔軟性を有している。
【０００９】
容器本体１は周囲の周面１ｂの一側と他側が重ねられて高周波溶着等で溶着固定され、周面１ｂの下端に底面１ｃの周囲が高周波溶着等で溶着固定されて開口が四角形の直方体に形成されている。
容器本体１の周面１ｂの開口縁に金属線４がシ−ト材で包み込まれ、周面１ｂは開口１ａにおいて内側から外側へ折り返されて折り返し部１ｄが周面１ｂに縫着や高周波溶着等で固定されている。
容器本体１は高さ方向で折り畳み可能に形成されている。
【００１０】
ハンドル止着部２は、例えばエチレン酢酸ビニ−ルや塩化ビニ−ル等で側面凸字形に下端部２ａと上端部２ｂと中間部２ｃで形成されて上端部２ｂに楕円形の透孔２ｄが形成されると共に透孔２ｄから下端部２ａまで切り欠き２ｅが形成されている。
中間部２ｃは折り返し部１ｄの外形に沿って屈曲形成され、下端部２ａは折り返し部１ｄと周面１ｂに溶着等で固定されている。
ハンドル止着部２の上端部２ｂは容器本体１の開口上部より上方に突出されている。
【００１１】
ハンドル３は、例えばエチレン酢酸ビニ−ル等の合成樹脂製でＵ字状をしており、上方に起立させた時Ｕ字状の形状を維持したままの硬さを有している。
形状は握り部３ａと杆部３ｂ、３ｂとでＵ字状に形成され、杆部３ｂ、３ｂの先に内向きの回動部３ｃ、３ｃと抜け止め部３ｄ、３ｄが形成されている。
握り部３ａには金属からなる重り５が埋設成形され、握り部３ａの中央に横長の透孔３ｅが重り５を貫通して形成されている。
杆部３ｂ、３ｂの長さはハンドル３を倒した時握り部３ａが容器本体１の外側で、開口１ａから離れた側部に位置する長さに形成されている。
回動部３ｃ、３ｃは断面外形が楕円形に形成されている。
回動部３ｃ、３ｃは、ハンドル止着部２の下端部２ａが折り返し部１ｄと周面１ｂに溶着等で固定される前に透孔２ｄに挿入される。
透孔３ｅにはナス環６が係止され、ナス環６に糸巻き７に巻回された組紐等からなる吊り下げ紐８の下端が固定されている。
【００１２】
ハンドル止着部２の上端部２ａの透孔２ｄとハンドル３の回動部３ｃ、３ｃの外形が夫々楕円形に形成され、その寸法関係は透孔２ｄの短い内径より、回動部３ｃの長い外径が同径より幾分長く形成されている。
前記楕円形の寸法関係によって、容器本体１を吊り下げ紐８で吊り下げた時図６のように、透孔２ｄの長い径の軸線方向と回動部３ｃの長い径の軸線方向が一致して容器本体１が吊り下げられ、容器本体１が水面に着水して吊り下げ紐８が緩められると、図７のようにハンドル３は重り５の重量で倒れ、ハンドル３が水平状態になる。
この時回動部３ｃも倒れて回動部３ｃの長い外径の外周が透孔２ｄの短い内径の内周に接触して一時的なストッパ−手段となる。
その後重り５が埋設されたハンドル３の握り部３ａの重量で回動部３ｃが回動されて図８のように、回動部３ｃの長い外径の外周が透孔２ｄの短い内径の内周を乗り越えて握り部３ａが下方に回動される。
【００１３】
このハンドル３が重り５の重量で容器本体１の外側に倒れると共にストッパ−手段による反動で容器本体１も倒れる方向に力を受け、図８、図９のように、重り５が埋設されたハンドル３の握り部３ａが容器本体１の側部から離れた位置にあるので容易に容器本体１は水汲み姿勢に傾くことになる。
【００１４】
このように釣り用水汲みバケツが構成されていると、ハンドル３が倒された時重り５が埋設された握り部３ａが容器本体１の開口１ａから離れた側部に位置することになるから、ハンドル３を倒伏させながら容器本体１を容易に倒すことが出来るため容易に水汲みが出来る。
【００１５】
前記説明の透孔２ｄと回動部３ｃは夫々円形としてもよい。
前記説明でハンドル材料は金属としてもよい。
【００１６】
図１０はハンドルの第２実施例で、図１０はハンドルの正面図である。
【００１７】
第２実施例でハンドル３′は外形が前記第１実施例と略同形で、材料は例えばエチレン酢酸ビニ−ル等の合成樹脂に金属粉末が混入されて全体で重りの機能が備えられている。
【００１８】
図１１はハンドルの第３実施例で、図１１はハンドルの正面図である。
【００１９】
第３実施例でハンドル３″は例えばエチレン酢酸ビニ−ル等の合成樹脂製でＵ字状の棒体に形成され、上方に起立させた時Ｕ字状の形状を維持したままの硬さを有している。
形状は握り部３ｅと杆部３ｂ、３ｂとでＵ字状に形成され、杆部３ｂ、３ｂの先に内向きの回動部３ｃ、３ｃと抜け止め部３ｄ、３ｄが形成されている。
握り部３ｅの両端には金属製の球状の重り９、９が固定されている。
【００２０】
図１２はハンドル止着部の透孔とハンドル回動部の変形例で、図１２はハンドル止着部の透孔とハンドル回動部の（ａ）はハンドルでバケツ容器本体が吊り下げられた状態の拡大要部断面側面図で（ｂ）はハンドルが横に倒された状態の拡大要部断面側面図で（ｃ）はハンドルが側部に倒された状態の拡大要部断面側面図である。
【００２１】
ハンドル止着部の透孔とハンドル回動部の変形例では、ハンドル止着部２の透孔２ｅは円形で内周に対抗する凸部２ｆ、２ｆが形成されている。
回動部３ｃは前記第１実施例と略同形の断面楕円形に形成されている。
凸部２ｆ、２ｆの間隔に対して回動部３ｃの長い外径が同径より幾分長く形成されている。
【００２２】
前記寸法関係によって、容器本体を吊り下げ紐で吊り下げた時（ａ）のように、透孔２ｅの縦の軸線方向と回動部３ｃの長い径の軸線方向が一致して容器本体が吊り下げられ、容器本体が水面に着水して吊り下げ紐が緩められると、（ｂ）のようにハンドル３は重りの重量で倒れ、この時回動部３ｃも倒れて回動部３ｃの長い外径の外周が凸部２ｆ、２ｆの内周に接触して一時的なストッパ−手段となる。
その後重りが埋設されたハンドル３の握り部の重量で回動部３ｃが回動されて（ｃ）のように、回動部３ｃの長い外径の外周が凸部２ｆ、２ｆの内周を乗り越えて握り部が下方に回動される。
【００２３】
【発明の効果】
本発明の釣り用水汲みバケツは、ハンドルが倒された時のハンドルの重さで容器本体を容易に倒すことが出来るため容易に水汲みが出来る。
【図面の簡単な説明】
【図１】第１実施例で、吊り下げ紐で吊り下げられた釣り用水汲みバケツの斜視図である。
【図２】同釣り用水汲みバケツの側面図である。
【図３】同ハンドル止着部の（ａ）正面図で（ｂ）側面図である。
【図４】同釣り用水汲みバケツ容器本体とハンドルの要部断面正面図と要部拡大断面正面図である。
【図５】同ハンドルの要部断面正面図である。
【図６】同ハンドルでバケツ容器本体が吊り下げられた要部断面側面図とハンドルとハンドル止着部の拡大要部断面側面図である。
【図７】同ハンドルが横に倒されたハンドルとバケツ容器本体の要部断面側面図とハンドルとハンドル止着部の拡大要部断面側面図である。
【図８】同ハンドルが側部に倒されたハンドルとバケツ容器本体の要部断面側面図とハンドルとハンドル止着部の拡大要部断面側面図である。
【図９】同水面上で傾けられた釣り用水汲みバケツの斜視図である。
【図１０】ハンドルの第２実施例で、ハンドルの正面図である。
【図１１】ハンドルの第３実施例で、ハンドルの正面図である。
【図１２】ハンドル止着部の透孔とハンドル回動部の変形例で、ハンドル止着部の透孔とハンドル回動部の（ａ）はハンドルでバケツ容器本体が吊り下げられた状態の拡大要部断面側面図で（ｂ）はハンドルが横に倒された状態の拡大要部断面側面図で（ｃ）はハンドルが側部に倒された状態の拡大要部断面側面図である。
【符号の説明】
１  容器本体
３、３′、３″  ハンドル
５、９  重り
【図１】
0004038032.tif 000002
【図２】
0004038032.tif 000003
【図３】
0004038032.tif 000004
【図４】
0004038032.tif 000005
【図５】
0004038032.tif 000006
【図６】
0004038032.tif 000007
【図７】
0004038032.tif 000008
【図８】
0004038032.tif 000009
【図９】
0004038032.tif 000010
【図１０】
0004038032.tif 000011
【図１１】
0004038032.tif 000012
【図１２】
0004038032.tif 000013